(57)【要約】【課題】外観に影響を与えることなく設置可能であり、ゴミや塵埃が蓄積して暖房性能が低下することがなく、多様なデザインを有する建物への適合性が高く、且つ、暖房性能および施工性が向上した幅木暖房装置を提供する。【解決手段】建物の内壁材と床材との取り合い部に設置されるベース部材と、熱源機に接続される往き管および戻り管からなる温水用配管と、ベース部材の被係合部と係合する係合部を有し、該係合部において温水用配管を把持するホルダ部材と、ベース部材に着脱自在に取り付けられ、係合部とともに温水用配管を把持する把持部を有するカバー部材と、を有し、ベース部材は樹脂製であり、カバー部材はベース部材よりも熱伝導率が高い金属製である、幅木暖房装置とする。【選択図】図２
2017026271.tif 000002
【特許請求の範囲】
【請求項１】
建物の内壁材と床材との取り合い部に設置されるベース部材と、
熱源機に接続される往き管および戻り管からなる温水用配管と、
前記ベース部材の被係合部と係合する係合部を有し、該係合部において前記温水用配管を把持するホルダ部材と、
前記ベース部材に着脱自在に取り付けられ、前記係合部とともに前記温水用配管を把持する把持部を有するカバー部材と、を有し、
前記ベース部材は樹脂製であり、前記カバー部材は前記ベース部材よりも熱伝導率が高い金属製である、幅木暖房装置。
【請求項２】
前記ホルダ部材が、前記ベース部材よりも熱伝導率が高い、金属製または樹脂製である、請求項１に記載の幅木暖房装置。
【請求項３】
前記ホルダ部材が樹脂製であり、前記ベース部材と前記ホルダ部材とが、二色異形押出により一体的に形成されている、請求項２に記載の幅木暖房装置。
【請求項４】
前記カバー部材における前記把持部が、前記ホルダ部材との伝熱面積を増加させる接触片を有する、請求項１〜３のいずれかに記載の幅木暖房装置。
【請求項５】
前記温水用配管の外周面が、前記係合部および前記把持部により完全に被覆される、請求項１〜４のいずれかに記載の幅木暖房装置。
【請求項６】
前記カバー部材の上端部と下端部とが互いに嵌合する形状を有し、上下方向に複数並べて設置可能である、請求項１〜５のいずれかに記載の幅木暖房装置。
【発明の詳細な説明】
【技術分野】
【０００１】
本発明は、建物の壁と床との取り合い部に設けられる幅木を利用した幅木暖房装置に関する。詳細には、幅木部分に温水配管を埋設してなる温水式の幅木暖房装置に関する。
【背景技術】
【０００２】
従来、住宅等の建物に備え付けられる暖房システムとして、温水配管を床下に埋設し、該温水配管に温水を供給することにより暖房を行う温水式床暖房システムが利用されている。温水式床暖房システムは、初期導入時に掛かる材工負担が大きく、その後、漏水等により補修が必要となった場合には、補修に時間が掛かり費用も大きいという問題があった。そこで、建物の幅木部分に電気式ヒータや温水配管等の放熱体を設置することにより、幅木を暖房に利用することが提案されている。幅木暖房装置は、床暖房と比較して初期導入時の材工負担が小さく、補修が容易であるという利点がある。
【０００３】
このような幅木暖房装置として、例えば、特許文献１には、暖房すべき部屋の壁面に沿って、幅木上に温水管を配管固定したことを特徴とする放熱器が開示されている。また、特許文献２には、室内に放熱する放熱体を有し、該放熱体が幅木の内部に格納された、熱媒体が流通する配管である暖房システムが開示されている。
また、特許文献３において、本発明者は、建物の内壁材と床下地材との取り合い部において、内壁材の下部に形成される空隙のうち長手方向両端部を除く部分に埋め込まれるように設置されるベース部材と、熱源機に接続され、ベース部材に固定される往き管および戻り管からなる温水用配管と、内壁材からなる内壁の入隅部または出隅部において、隣接する往き管同士または隣接する戻り管同士を連結するＬ字部材と、往き管と戻り管とを連結する末端部材と、ベース部材に着脱自在に取り付けられるカバー部材と、を有し、温水用配管は架橋ポリエチレン管であり、カバー部材が幅木の外観を有して取り合い部を隠蔽することを特徴とする幅木暖房装置を提案した。
【先行技術文献】
【特許文献】
【０００４】
【特許文献１】特開平１１−１４８６６５号公報
【特許文献２】特開２００２−３３３１４９号公報
【特許文献３】特願２０１４−１００４２３号明細書
【発明の概要】
【発明が解決しようとする課題】
【０００５】
上記特許文献１に記載の放熱器には以下のような問題点があった。
すなわち（１）既存の幅木の上に後付けされるものであるため、既存の幅木よりも室内側に突出し、見栄えが悪かった；（２）カバーの下面および上面に所定のピッチでスリット状の空気通路を設けることにより、自然対流によって部屋の空気を暖めることを想定していたが、該スリット状の空気通路にはゴミや塵埃が溜まり易く、空気通路が塞がれることにより、暖房性能が低下することがあった；（３）放熱器のカバーと床面との間には取り付けの便宜のために隙間が形成されているため、該隙間にもゴミや塵埃が溜まりやすく、衛生上好ましくなく、且つ、下側の空気通路が塞がるのを助長する虞があった；（４）カバーは耐熱樹脂板であったが、選択する樹脂の種類によっては輻射効率が悪く、暖房性能が低下する虞があった；（５）幅木の長手方向に沿って設置可能な放熱器の構成が開示されているものの、入隅部または出隅部における構成が開示されておらず、多様なデザインを有する建物にそのまま導入できるものではなかった。
また、上記特許文献２に記載の暖房システムによれば、放熱体が幅木の内部に格納されているため、上記（１）および（３）の問題点を改善することは可能であったが、特許文献１と同様に、幅木が空気を対流させるためのスリット部を有しているため、依然として上記（２）の問題が生じていた。また、幅木表面部の材質が特定されていないため上記（４）の問題が生じる恐れがあり、上記（５）についても十分に開示されていなかった。
【０００６】
本発明者の提案した特許文献３に記載の幅木暖房装置によれば、上記（１）〜（５）の問題を解決することが可能であった。しかしながら、床暖房等に代わる主暖房としてより好適に使用可能とするために、さらなる暖房性能の向上が求められていた。また、特許文献３に記載の技術では、幅木暖房装置を設置する際に内壁材の下部を切り落とす等の方法により内壁材下部に空隙を形成する必要があり、さらなる施工性の向上が求められていた。
【０００７】
そこで、本発明は、外観に影響を与えることなく設置可能であり、ゴミや塵埃が蓄積して暖房性能が低下することがなく、多様なデザインを有する建物への適合性が高く、且つ、暖房性能および施工性が向上した幅木暖房装置を提供することを課題とする。
【課題を解決するための手段】
【０００８】
即ち、請求項１に記載の発明は、建物の内壁材（１１）と床材（１２）との取り合い部に設置されるベース部材（１）と、熱源機に接続される往き管（２ａ）および戻り管（２ｂ）からなる温水用配管（２）と、ベース部材の被係合部（１ｅ）と係合する係合部（３ａ）を有し、該係合部において温水用配管を把持するホルダ部材（３）と、ベース部材に着脱自在に取り付けられ、係合部とともに温水用配管を把持する把持部（４ｆ）を有するカバー部材（４）と、を有し、ベース部材は樹脂製であり、カバー部材はベース部材よりも熱伝導率が高い金属製である、幅木暖房装置（１０）である。
【０００９】
請求項２に記載の発明は、請求項１に記載の幅木暖房装置において、ホルダ部材が、ベース部材よりも熱伝導率が高い、金属製または樹脂製である。
【００１０】
請求項３に記載の発明は、請求項１または２に記載の幅木暖房装置において、ホルダ部材が樹脂製であり、ベース部材と当該ホルダ部材とが、二色異形押出により一体的に形成されている。
【００１１】
請求項４に記載の発明は、請求項１〜３のいずれかに記載の幅木暖房装置において、カバー部材における把持部（１４ｆ）が、ホルダ部材との伝熱面積を増加させる接触片（１４ｎ）を有する。
【００１２】
請求項５に記載の発明は、請求項１〜４のいずれかに記載の幅木暖房装置において、温水用配管の外周面が、係合部および把持部により完全に被覆される。
【００１３】
請求項６に記載の発明は、請求項１〜５のいずれかに記載の幅木暖房装置において、カバー部材の上端部（４ｃ）と下端部（４ｄ）とが互いに嵌合する形状を有し、上下方向に複数並べて設置可能である。本発明における「上下方向」とは、幅木暖房装置を設置した姿勢において、カバー部材の上端部から下端部または下端部から上端部へと向かう方向を意味し、鉛直方向に限定されるものではない。
【発明の効果】
【００１４】
本発明によれば、外観に影響を与えることなく設置可能であり、ゴミや塵埃が蓄積して暖房性能が低下することがなく、多様なデザインを有する建物への適合性が高く、且つ、暖房性能および施工性が向上した幅木暖房装置を提供することができる。
【図面の簡単な説明】
【００１５】
【図１】本発明の第一の実施形態に係る幅木暖房装置１０を室内側から見た概略図である。
【図２】図２（ａ）は図１にＩＩａで示した領域の拡大図、図２（ｂ）は図１にＩＩｂで示した領域の拡大図である。
【図３】図３（ａ）は図２（ａ）においてカバー部材４を取り外した姿勢を示す図、図３（ｂ）は図２（ｂ）においてカバー部材４を取り外した姿勢を示す図である。
【図４】図４（ａ）は幅木暖房装置直線部１０ａの長手方向に直交する断面図、図４（ｂ）は図４（ａ）において各部材（ベース部材１、温水用配管２、ホルダ部材３、カバー部材４）を分離した図である。
【図５】幅木暖房装置１０を上下方向に２つ並べて設置した様子を示す図である。
【図６】図６（ａ）は図３（ａ）のＶＩａ方向の矢視図、図６（ｂ）は図３（ｂ）のＶＩｂ方向の矢視図、図６（ｃ）は図６（ａ）と同一の視点から見たＬ字部材５のみを示す図、図６（ｄ）は他の実施形態に係るＬ字部材５´を示す図である。
【図７】図７（ａ）は図１にＶＩＩで示した領域において、幅木暖房装置１０のカバー部材４を取り外した姿勢における拡大図、図７（ｂ）は図７（ａ）と同一の視点から見た末端部材８のみを示す図である。図７（ｃ）は末端部材８として２つのＬ字部材５´´を組み合わせて使用した場合の図７（ａ）と同一の視点から見た図である。
【図８】図１のＶＩＩＩ方向から見た、幅木暖房装置直線部１０ａの長手方向端部において温水用配管２を取り出した後の様子を示す図である。
【図９】図９（ａ）は本発明の第二の実施形態に係る幅木暖房装置２０を図４（ａ）と同一の視点から見た図、図９（ｂ）は図９（ａ）において各部材（ベースホルダ部材１３、温水用配管２、カバー部材４）を分離した図である。
【図１０】図１０（ａ）（ｂ）は本発明の第三の実施形態に係る幅木暖房装置３０を図２（ａ）（ｂ）と同一の視点から見た図である。
【図１１】図１１（ａ）は本発明の第三の実施形態に係る幅木暖房装置３０の図４（ａ）と同一の視点から見た図、図１１（ｂ）は図１１（ａ）においてカバー部材１４のみを分離した図である。
【発明を実施するための形態】
【００１６】
以下、本発明の実施形態の一例としての幅木暖房装置について説明する。但し、本発明は、この幅木暖房装置に限定されるものではない。また、各図では説明のため、必要に応じて、部材を省略もしくは透視、または部材の形状を誇張して表すことがある。
【００１７】
＜幅木暖房装置１０＞
図１は本発明の第一の実施形態に係る幅木暖房装置１０を室内側から見た概略図である。図１に表れているように、内壁材１１からなる内壁と床材１２との取り合い部（以下、単に「取り合い部」ということがある。）に沿って、入隅部Ａ１、出隅部Ｂ１、入隅部Ａ２を通って連続する幅木暖房装置直線部１０ａ、１０ｂ、１０ｃ、１０ｄからなる幅木暖房装置１０、および、幅木暖房装置を備えない幅木１５が備え付けられている。本発明の幅木暖房装置１０は、後述するカバー部材４を幅木１５と同一の外観とすることにより、本実施形態のように、従来の幅木１５と組み合わせて使用する場合であっても、外観上の違和感を与えることなく備え付けることが可能である。
【００１８】
図２（ａ）に図１にＩＩａで示した領域の拡大図、図２（ｂ）に図１にＩＩｂで示した領域の拡大図を示した。また、図３（ａ）に図２（ａ）においてカバー部材４を取り外した姿勢における拡大図、図３（ｂ）に図２（ｂ）においてカバー部材４を取り外した姿勢における拡大図、図７（ａ）に図１にＶＩＩで示した領域においてカバー部材４を取り外した姿勢における拡大図を示した。また、図４（ａ）に、図２（ａ）にも表れている幅木暖房装置直線部１０ａの長手方向に直交する断面の拡大図を、図４（ｂ）に、図４（ａ）に表れている各部材（ベース部材１、温水用配管２、ホルダ部材３、カバー部材４）を分離した図を示す。
なお、入隅部Ａ２における幅木暖房装置１０の構成は入隅部Ａ１と同様であり、ここでは説明を省略する。
【００１９】
本発明の幅木暖房装置１０は、ベース部材１と、往き管２ａおよび戻り管２ｂからなる温水用配管２と、ホルダ部材３と、カバー部材４と、を有する。以下、図２〜４を参照しつつ、各部材について順に説明する。
【００２０】
（ベース部材１）
図４を用いて、本実施形態に係るベース部材１の構造を説明する。図４（ａ）は、図２（ａ）にも表れていた、幅木暖房装置直線部１０ａの長手方向に直交する断面図である。図４（ａ）（ｂ）において、紙面右側が室内側、紙面左側が室外側である。
ベース部材１は、建物の内壁材１１と床材１２との取り合い部に設置される部材であり、図４（ａ）（ｂ）に表れる断面形状を有して長手方向に延在する部材である。ベース部材１は、内壁材１１の室内側面に沿うように立設する立設片１ａと、立設片１ａの上端および下端から室内側に延びる片１ｂ、１ｂと、立設片１ａの中央部から室内側に延び、先端が上下方向に分かれて立設するＴ字片１ｃと、立設片１ａのうち片１ｂとＴ字片１ｃとの中間部から室内側に延び、先端がＴ字片１ｃ側へと折れ曲がるＬ字片１ｄ、１ｄと、を有している。図４（ａ）（ｂ）に示すように、Ｔ字片１ｃおよびＬ字片１ｄ、１ｄにより、後述するホルダ部材３の係合部３ａと係合する被係合部１ｅ、１ｅが形成される。
【００２１】
本実施形態では、Ｔ字片１ｃおよびＬ字片１ｄ、１ｄにより、被係合部１ｅが形成される形態を示したが、本発明はこれに限定されず、被係合部１ｅは係合部３の形状に沿った形状をしていてもよい。ただし、ホルダ部材からベース部材への熱伝導により室外側へ伝わる熱量を減少させ、暖房性能を向上させる観点から、ホルダ部材とベース部材との接触面積は少ないことが好ましい。かかる観点から、ベース部材は、本実施形態のように、ホルダ部材を片により挟持するように構成されていることが好ましい。
【００２２】
図２（ａ）および図３（ａ）（ｂ）に表れているように、ベース部材１は、カバー部材４を取り付けた際に、カバー部材４の下端部４ｄが収まるスペースが確保されるように、床材１２から所定の高さ（図３（ａ）（ｂ）にＨで示した高さ）離した状態で内壁材１１に固定される。床材１２から所定の高さ離してベース部材１を固定する方法としては、例えば、取り合い部に所定の高さのスペーサを配置、該スペーサ上でベース部材１を内壁材１１に固定する方法が挙げられる。
【００２３】
ベース部材１には、固定部材６の頭部と嵌合する溝１ｇ、１ｇが形成されており、図２（ａ）、図３（ａ）に表れているように、該溝の底部に形成される貫通孔に固定部材６を貫通させることにより、内壁材１１及び間柱１５にベース部材１が固定される。ベース部材１を固定する方法は特に限定されず、内壁材１１の下地となる柱、構造用合板等に固定する形態としてもよい。また、固定部材の種類は特に限定されず、木ネジ等を使用することができる。
【００２４】
ベース部材１は、取り合い部のうち、入隅部および／または出隅部を除く部位に配置される。ベース部材１を取り合い部のうち入隅部および／または出隅部を除く部位に配置することにより、入隅部および／または出隅部に、後述する配管取り出しのためのスペース、Ｌ字部材５を配置するスペース、および、末端部材８を配置するスペースを確保することが可能となる。
【００２５】
本実施形態では、内壁材１１の上からベース部材１を配置する形態を示したが、本発明はこれに限定されず、内壁材１１の下部を切り落とす等により内壁材１１の下部に空隙を形成し、該空隙に埋め込むようにベース部材１を設置してもよい。内壁材１１下部の空隙に埋め込むようにベース部材１を設置することにより、幅木暖房装置の室内側への突出を更に抑制することが可能となる。
【００２６】
ベース部材１の高さ（上下方向の長さ）は特に限定されず、要求される暖房性能や幅木としての外観特性に応じて適宜設定することが可能である。ベース部材１の高さは、例えば、７〜１５ｃｍとすることができる。
【００２７】
ベース部材１の材質は樹脂製であり、その熱伝導率は、後述するカバー部材４よりも低いことを要し、後述するホルダ部材３よりも低いことが好ましい。
ベース部材１を構成する樹脂の熱伝導率は、２０℃において、０．５Ｗ／ｍ・Ｋ以下であることが好ましく、０．４Ｗ／ｍ・Ｋ以下であることがより好ましく、０．３Ｗ／ｍ・Ｋ以下であることがさらに好ましい。また、ベース部材１は耐熱性を備えていることが好ましい。かかる条件を満たす樹脂としては、例えば、ポリプロピレン、ポリスチレン、アクリロニトリルスチレン、ポリ塩化ビニリデン、ポリカーボネート、ポリエチレンテレフタレート、フェノール樹脂、エポキシ樹脂、不飽和ポリエステル樹脂等が挙げられる。
上記樹脂によりベース部材１を形成することにより、温水用配管２を把持するホルダ部材３およびカバー部材４からベース部材１に伝わる熱量を低減させることができ、室内側へ抜ける熱量を増大させ、暖房性能を向上させることが可能となる。
【００２８】
（温水用配管２）
温水用配管２は熱源機に接続され、配管内部に温水を循環させて熱を伝える管状の部材である。図２（ａ）、図３、図４に表れているように、温水用配管２は往き管２ａおよび戻り管２ｂからなり、後述するホルダ部材３の係合部３ａ、３ａとカバー部材４の把持部４ｆ、４ｆとにより把持される。
温水用配管２は、入隅部および／または出隅部においては、後述するＬ字部材５または末端部材８に接続される（図３および図７参照）。
【００２９】
温水用配管２の材質には、ポリエチレンを構成する分子鎖に架橋構造を有する架橋ポリエチレンを使用する。この架橋ポリエチレン管は、ＪＸＰＡ規格に則った耐久試験項目（引っ張り降伏強さ、耐圧性、熱間内圧クリープ性、浸出性（濁度、残留塩素の減量、臭気等）、耐塩素水性、ゲル分率）に合格している物であれば使用することができる。特に、ゲル分率は６５％以上が好ましい。
【００３０】
（ホルダ部材３）
ホルダ部材３は、ベース部材１の被係合部１ｅ、１ｅと係合する係合部３ａ、３ａを有し、該係合部３ａ、３ａにおいて温水用配管２を把持する部材である。図４を用いて、ホルダ部材３の構造を説明する。図４（ｂ）に表れているように、ホルダ部材３は、係合部３ａ、３ａと、係合部３ａ、３ａ間を連結する片３ｂと、係合部３ａ、３ａから、上下方向に延びる片３ｃ、３ｃと、を有する。係合部３ａ、３ａは、温水用配管２の外周面に沿って温水用配管２を把持可能な半円弧状の形状を有しており、その凸部がベース部材１の被係合部１ｅ、１ｅと係合可能となっている。ホルダ部材３をベース部材１に取り付ける際には、ホルダ部材３の係合部３ａ、３ａをベース部材１の被係合部１ｅ、１ｅと係合させることにより取り付けることが可能である。また、本実施形態では、上記Ｔ字片１ｃの室内側面と片３ｂの室外側面とを当接させ、且つ、Ｌ字片１ｄの室外側面と片３ｃの室外側面とを当接させることにより、ホルダ部材３をベース部材１に安定的に取り付けることが可能となっている。
【００３１】
ホルダ部材３において、係合部３ａ、３ａの室内側端部（係合部３ａと片３ｃとの連結部および係合部３ａと片３ｂとの連結部）には、温水用配管２をホルダ部材３に取り付けた際に温水用配管２が脱落することを防止する係止爪３ｄが形成されていることが好ましい。係止爪３ｄを有することにより、ベース部材１にホルダ部材３および温水用配管２を取り付けた後、カバー部材を取り付けるまでの間、又は、ホルダ部材３に温水用配管２を先に取り付けた後、温水用配管２およびホルダ部材３を一体的にベース部材１に取り付けるまでの間に、温水用配管２が脱落することを防止することができるため、施工性を向上させることができる。
【００３２】
ホルダ部材３の材質は、ベース部材１よりも熱伝導率が高い、金属製または樹脂製であることが好ましい。
【００３３】
ホルダ部材３の材質が金属である場合、該金属の熱伝導率は、２０℃において、１０Ｗ／ｍ・Ｋ以上であることが好ましく、５０Ｗ／ｍ・Ｋ以上であることがより好ましく、１００Ｗ／ｍ・Ｋ以上であることがさらに好ましい。ホルダ部材３が金属製である場合、ホルダ部材３を構成する金属としては、例えばアルミニウム等を用いることができる。また、ホルダ部材３の表面にはアルマイト・クリア処理が施されていることが好ましい。ホルダ部材３の表面にアルマイト・クリア処理を施すことにより、ベース部材１との嵌合作業を改善できると共に輻射率や耐蝕性を向上させることができ、温水用配管２からホルダ部材３を介して行われるカバー部材４への伝熱を、熱伝導だけでなく輻射によっても行い易くなる。
【００３４】
ホルダ部材３の材質が樹脂である場合、該樹脂の熱伝導率は、２０℃において、０．３Ｗ／ｍ・Ｋ以上であることが好ましく、０．４Ｗ／ｍ・Ｋ以上であることがより好ましく、０．５Ｗ／ｍ・Ｋ以上であることがさらに好ましい。また、ホルダ部材３は耐熱性を備えていることが好ましい。かかる条件を満たす樹脂としては、例えば、ポリエチレン、ＡＢＳ樹脂、アクリル樹脂、ポリアミド、ポリアセタール、フッ素樹脂、酢酸セルロース等が挙げられる。
【００３５】
上記樹脂または金属によりホルダ部材３を形成することにより、温水用配管２からホルダ部材３に伝わる熱量を増大させることができ、また、上記のようにカバー部材４の熱伝導率がベース部材１の熱伝導率よりも高いこととの相乗効果が得られるため、室内側へ抜ける熱量を大幅に増加させ、暖房性能を向上させることが可能となる。
【００３６】
（カバー部材４）
図４（ｂ）を用いて、本実施形態に係るカバー部材４の構造を説明する。カバー部材４は図４（ｂ）に表れる断面形状を有して長手方向に延在する部材である。図４（ｂ）に表れる断面において、カバー部材４は、紙面上下方向に立設する立設片４ａと、立設片４ａの上端から一部に傾斜面４ｂを有して室外側に延びる上端部４ｃと、立設片４ａの下端から一部に傾斜面４ｅを有して室外側に延びる下端部４ｄと、立設片４ａの中間部に形成される把持部４ｆ、４ｆとを有している。カバー部材４の把持部４ｆ、４ｆは、温水用配管２の外周面に沿って温水用配管２を把持可能な半円弧状の形状を有しており、カバー部材４をベース部材１に取り付けた姿勢において、上記ホルダ部材３の係合部３ａ、３ａとともに温水用配管２を把持可能となっている。
図４（ａ）に表れているように、カバー部材４とベース部材１とは、ベース部材１の上端の片１ｂと上端部４ｃの片４ｇとの当接、および、ベース部材１の下端の片１ｂと下端部４ｄの片４ｈとが当接により嵌合可能となっており、該嵌合によりカバー部材４はベース部材１に着脱可能に取り付けられる。
【００３７】
カバー部材４の上端部４ｃと下端部４ｄとは互いに嵌合する形状を有しており、これにより、後述するように、幅木暖房装置１０は、上下方向に並べて設置することがある。図５に、幅木暖房装置１０を２台並べて設置した様子を示した。本発明の幅木暖房装置１０は、このように上下方向に複数並べて設置可能であり、パネルラジエータ的使い方をすることができる。上端部４ｃと下端部４ｄとが嵌合する形状は、傾斜面を有する階段状の構造であることが好ましい。上端部４ｃと下端部４ｄとが嵌合する形状が傾斜面を有することにより、カバー部材４の下端部４ｄは傾斜面４ｅを有することとなり、カバー部材４を取り付ける際に下端部４ｄにカケ等が生じることを防止することができる。
【００３８】
図２（ａ）および図４（ａ）に表れているように、温水用配管２の外周面は、係合部３ａおよび把持部４ｆにより全て覆われている（以下「完全に被覆される」という。）ことが好ましい。温水用配管２の外周面が係合部３ａおよび把持部４ｆにより完全に被覆されることにより、温水用配管２とカバー部材４とが、ホルダ部材３を介してまたは直接接続することとなるため、温水用配管２からカバー部材４への熱伝導による伝熱量を増大させることができるため、暖房性能を高めることが可能となる。また、カバー部材４がホルダ部材３とともに温水用配管２を直接支持する構造となるため、幅木暖房装置１０の室内外方向の厚みを薄くすることができ、幅木暖房装置１０の室内側への突出を抑制することできる。このような幅木暖房装置１０によれば、内壁材１１の下部に空隙を形成して埋め込むことなく、内壁材１１の室内側から直接設置する場合でも、外観に影響を与えることなく設置することが可能となる。
【００３９】
カバー部材４はベース部材１よりも熱伝導率が高い金属製である。カバー部材４の材質はベース部材１よりも熱伝導率が高い金属であれば特に限定されず、例えばアルミニウム等を用いることができる。また、カバー部材４の表面にはアルマイト・クリア処理が施されていることが好ましい。カバー部材４の表面にアルマイト・クリア処理を施すことにより、ベース部材１、ホルダ部材３および温水用配管２との嵌合作業を改善できると共に輻射率を向上させることができ、温水用配管２からの輻射を室内側へ伝えやすくなる。
【００４０】
カバー部材４を構成する金属の熱伝導率は、ベース部材１よりも高いことを要する。すなわち、カバー部材４を構成する金属の熱伝導率は、２０℃において、１０Ｗ／ｍ・Ｋ以上であることが好ましく、５０Ｗ／ｍ・Ｋ以上であることがより好ましく、１００Ｗ／ｍ・Ｋ以上であることがさらに好ましい。上記条件を満たす金属によりカバー部材４を形成することにより、温水用配管２およびホルダ部材３からカバー部材４に伝わる熱量をベース部材１に伝わる熱量よりも増大させることができ、室内側へ抜ける熱量を増大させ、暖房性能を向上させることが可能となる。
【００４１】
本発明において、カバー部材４は幅木の外観を有していてもよい。ここで、「幅木の外観を有する」とは、幅木暖房装置１０を室内側から見たときに、外観上、視認者に幅木であるとの印象を与えることが可能であることを意味する。従って、カバー部材４の寸法、形状は、内壁材１１と床材１２との取り合い部を隠蔽することが可能なものであれば、通常設計される幅木に適用される範囲で適宜変更可能である。また、幅木の表面外観は、所望により、例えば木目調シート等のシートを貼着することにより変更することが可能である。また、本実施形態のように、幅木暖房装置１０を通常の幅木１５と組み合わせて使用する場合には、カバー部材４のデザインを幅木１５のものと同様とすることにより、統一感を与え、外観上の違和感を与えることなく備え付けることが可能である。なお、幅木暖房装置と幅木とは異なるデザインを有していてもよい。
【００４２】
（緩衝材）
図２および図５には、カバー部材４が床材１２の上に直接載置される形態を示したが、カバー部材４の下端部４ｄと床材１２との接触部分には、緩衝材が配置されていてもよい。緩衝材は取り合い部の目を隠す見切り材として機能するシート状の部材である。緩衝材を配置する方法は特に限定されないが、例えば、カバー部材４の施工時に緩衝材の厚みと同一の厚みを有するスペーサを配置した状態で、カバー部材４を取り付け、その後、スペーサを取り除いて緩衝材を挿入する方法が挙げられる。緩衝材の材質は、特に限定されず、公知の合成樹脂等を用いることができる。
【００４３】
（Ｌ字部材５）
幅木暖房装置１０は、入隅部または出隅部において、Ｌ字部材５を有していてもよい。
Ｌ字部材５は、図３に表れているように、内壁材１１からなる内壁の入隅部Ａ１（Ａ２）または出隅部Ｂ１において、隣接する往き管２ａ同士または隣接する戻り管２ｂ同士を連結する部材である。図６（ｃ）に表れているように、Ｌ字部材５は両末端部分に段状の接続部５ａを有し、該接続部５ａと温水用配管２端部の内周面とが嵌合することにより、温水用配管２とＬ字部材５とが接続されている。また、該接続部５ａと温水用配管２との接続部分は、温水用配管２の上からバンド７により拘束されており、接続が強固なものとなっている。
【００４４】
図６（ｃ）にαで示した接続部５ａ、５ａの長手方向がなす角度は９０度に限定されず、入隅部または出隅部の角度に併せて、適宜変更することが可能である。例えば、図６（ｄ）に示したように、角度αが９０度より大きいＬ字部材５´を使用してもよい。このように入隅部または出隅部の角度に対応したＬ字部材を使用することにより、多様なデザインを有する建物への適合性を高めることが可能となる。
【００４５】
（末端部材８）
幅木暖房装置１０は、入隅部または出隅部において、末端部材８を有していてもよい。
末端部材８は、図７（ａ）に表れているように、幅木暖房装置１０の末端部において、往き管２ａと戻り管２ｂとを連結する部材である。図７（ｂ）に表れているように、末端部材８は両末端部分に、Ｌ字部材の接続部５ａと同様の形状を有する段状の接続部８ａを有し、該接続部８ａと温水用配管２端部の内周面とが嵌合することにより、温水用配管２と末端部材８とが接続されている。また、該接続部８ａと温水用配管２との接続部分は、温水用配管の上からバンド７により拘束されており、接続が強固なものとなっている。
【００４６】
本実施形態では図７（ａ）、（ｂ）に示すように、Ｕ字形状の末端部材８を示したが、末端部材８の形状は往き管２ａと戻り管２ｂとを連結することが可能な形状であれば特に限定されない。例えば、図７（ｃ）に示すようにＬ字部材５´´、５´´を組み合わせて末端部材を構成してもよく、温水用配管２の柔軟性を向上させてＵ字状に折り曲げることにより、末端部材としてもよい。
【００４７】
図８に、図１の矢印ＶＩＩＩ方向から見た幅木暖房装置直線部１０ａの長手方向端部において、熱源機に接続される往き管２ａおよび戻り管２ｂからなる温水用配管２を取り出した後の様子を示した。本発明の幅木暖房装置１０を設置する際には、まず、幅木暖房装置直線部１０ａの長手方向端部の床材１２および床下地材１６に、熱源機（不図示）に接続されている往き管２ａおよび戻り管２ｂを取り出すための穴１８、１８が形成される。床材１２および床下地材１６に穴を形成する方法は特に限定されず、公知の方法を用いることができる。また、穴の大きさは、往き管２ａおよび戻り管２ｂを取り出すことのできる大きさであれば特に限定されない。
次に穴１８、１８を通して往き管２ａおよび戻り管２ｂを床上に立ち上げ、往き管２ａおよび戻り管２ｂにＬ字部材５を接続し、バンド７で固定する。これにより、往き管２ａおよび戻り管２ｂを室内に取り出し、幅木暖房装置直線部１０ａの長手方向へと流路を変更する。
【００４８】
なお、本実施形態では、床材１２から室内に往き管２ａおよび戻り管２ｂを取り出す例を示したが、往き管２ａおよび戻り管２ｂを取り出す方法はこれに限定されず、例えば、内壁材１１を貫通して上方向から取り出す形態としてもよい。また、図５に示したように、幅木暖房装置１０を上下方向に複数並べて設置する場合には、取り出した１組の往き管２ａおよび戻り管２ｂから各幅木暖房装置１０へ流路を分岐させて温水を循環させてもよく、各幅木暖房装置１０に対して、温水用配管２を別々に取り出してもよい。
【００４９】
＜幅木暖房装置２０＞
次に、本発明の第二の実施形態に係る幅木暖房装置２０について、図９を参照しつつ説明する。図９（ａ）は本発明の第二の実施形態に係る幅木暖房装置２０の図４（ａ）と同一の視点から見た図、図９（ｂ）は図９（ａ）において各部材（ベースホルダ部材１３、温水用配管２、カバー部材４）を分離した図である。
【００５０】
幅木暖房装置２０は、ベース部材とホルダ部材とが、二色異形押出により一体的に形成されてなるベースホルダ部材１３を有する。すなわち、ベースホルダ部材１３は、上記ベース部材１に相当するベース部１３ａと、上記ホルダ部３に相当するホルダ部１３ｂと、を有する。本実施形態では、ベース部材とホルダ部材とが一体的に形成されていることから、ベースホルダ部材１３は、ベース部材の被係合部とホルダ部材の係合部とが係合した部材とみなすことができる。よって、ホルダ部材３の係止爪３ｄと同様に、ベースホルダ部材１３のホルダ部１３ｂにも、温水用配管２の脱落を防止する係止爪１３ｄが形成されていることが好ましい。
本実施形態のように、ベース部材とホルダ部材とが二色異形押出により一体的に形成されていることにより、施工性の改善及びコストの低減が図れるので好ましい。ベース部１３ａ、ホルダ部１３ｂの材質としては、上記ベース部材１、ホルダ部材３について例示したものをそれぞれ用いることができる。また、幅木暖房装置２０において、ベースホルダ部材１３以外の構成は、幅木暖房装置１０と同様であり、ここでは説明を省略する。カバー部材４を用いる幅木暖房装置２０は、幅木暖房装置１０と同様に、上下方向に複数並べて設置可能である。
【００５１】
＜幅木暖房装置３０＞
次に、本発明の第三の実施形態に係る幅木暖房装置３０について、図１０及び図１１を参照しつつ説明する。図１０（ａ）（ｂ）は本発明の第三の実施形態に係る幅木暖房装置３０を図２（ａ）（ｂ）と同一の視点から見た図である。図１１（ａ）は本発明の第三の実施形態に係る幅木暖房装置３０の図４（ａ）と同一の視点から見た図、図１１（ｂ）は図１１（ａ）においてカバー部材１４のみを分離した図である。幅木暖房装置３０において、カバー部材１４以外の構成は、幅木暖房装置１０と同様であり、ここでは説明を省略する。
【００５２】
カバー部材１４は図１０（ａ）および図１１（ａ）（ｂ）に表れる断面形状を有して長手方向に延在する部材である。図１１（ｂ）に表れる断面において、カバー部材１４は、紙面上下方向に立設する立設片１４ａと、立設片１４ａの上端から室外側に階段状に延びる上端部１４ｃと、立設片４ａの下端から室外側に階段状に延びる下端部１４ｄと、立設片１４ａの中間部に形成される把持部１４ｆ、１４ｆと、立設片１４ａの上部から室外側に延びる嵌合片１４ｉ、１４ｊと、立設片１４ａの下部から室外側に延びる嵌合片１４ｋ、１４ｌと、を有している。立設片１４ａの室内側表面は通常の幅木と同様に平滑な表面となっており、美観性および剛性を向上させる目的で、化粧溝１４ｍが形成されている。
【００５３】
カバー部材１４の把持部１４ｆ、１４ｆの室外側は、温水用配管２の外周面に沿って温水用配管２を把持可能な半円弧状の形状を有しており、カバー部材１４をベース部材１に取り付けた姿勢において、上記ホルダ部材３の係合部３ａ、３ａとともに温水用配管２を把持可能となっている。また、把持部１４ｆは、該把持部１４ｆの室外側端部から上下方向に立設する接触片１４ｎ、１４ｎを有している。把持部１４ｆは、接触片１４ｎを有することにより、カバー部材１４をベース部材１に取り付けた姿勢において、ホルダ部材３とカバー部材１４との伝熱面積を増加させることができ、温水用配管２からホルダ部材３を介してカバー部材１４に伝わる熱量を増加させることができる。
【００５４】
図１１（ａ）に表れているように、カバー部材１４は、（ｉ）ベース部材１の上端の片１ｂと上端部１４ｃの片１４ｇとの当接による嵌合、および、ベース部材１の下端の片１ｂと下端部１４ｄの片１４ｈとの当接による嵌合、ならびに（ｉｉ）ベース部材１の上部に形成される被嵌合部１ｈと嵌合片１４ｉ、１４ｊとの嵌合、および、ベース部材１の下部に形成される被嵌合部１ｈと嵌合片１４ｋ、１４ｌとの嵌合により、ベース部材１に着脱可能に取り付けられる。上記（ｉ）および（ｉｉ）によりカバー部材１４をベース部材１に取り付ける幅木暖房装置３０によれば、上記（ｉ）に相当する嵌合のみでカバー部材４を取り付ける幅木暖房装置１０と比較して、カバー部材１４をベース部材１により強固に取り付けることが可能となる。
カバー部材１４の上端部１４ｃと下端部１４ｄとは互いに嵌合する形状を有しており、幅木暖房装置３０は、幅木暖房装置１０と同様に、上下方向に複数並べて設置することが可能である。
【００５５】
＜機能＞
以上の各部材により構成される本発明の幅木暖房装置１０、２０、３０は、従来の幅木暖房装置と比較して室内側へ抜ける熱量が大幅に増加しており、暖房性能に優れる。
また、本発明の幅木暖房装置１０、２０、３０は、従来の幅木暖房装置と比較して、幅木暖房装置１０の室内外方向の厚みを薄く、幅木暖房装置１０の室内側への突出を抑制されているため、内壁材１１の室内側表面に直接設置した場合でも外観に影響を与えることがない。よって、内壁材１１の下部に幅木暖房装置を埋め込むための空隙を形成する工程を必要としないため、施工性を向上させることができる。また、室内側に表れている部位にゴミや塵埃が蓄積し、暖房性能が低下することがない。
また、本発明の幅木暖房装置１０、２０、３０は、暖房機能に加えて、通常の幅木が有する機能と同様の機能を有する。通常の幅木が有する機能としては、例えば、床と内壁との取り合い部を隠蔽する機能、内壁の下部に靴、足、掃除機等が接触しても、内壁に傷や汚れがつかないように保護する機能等が挙げられる。
【００５６】
本発明において、輻射熱利用の暖房設備においては、簡易的には概ね１００Ｗ／ｍ２以上が好ましいとされる。本願の幅木暖房に於いても同様の観点から、１００Ｗ／ｍ２以上の放熱量が好ましい。ただし、実際の暖房設計では設置される部屋の暖房負荷を超える熱量が必要であるため、使用に際して確認が必要になることは言うまでもない。
本発明の幅木暖房装置１０、２０、３０によれば、概ね１００Ｗ／ｍ２以上の放熱量を実現することが可能である。
【００５７】
＜補修＞
本発明の幅木暖房装置１０、２０、３０を構成する部材のうち、特に温水用配管２、Ｌ字部材５、末端部材８の補修または交換を行う場合には、カバー部材４、１４を取り外し、幅木暖房装置の内部を室内側に露出させることにより行う。カバー部材４、１４は、室内側から着脱自在に取り付けられているため、各部材の補修または交換を、室内側から容易に行うことができる。
【００５８】
本発明の幅木暖房装置は、従来の床暖房に代わる主暖房として使用することが可能である。ただし、総合的なエネルギー効率を上げることを目的として、従来の床暖房や他の暖房システムと組み合わせて使用してもよい。また、本発明の幅木暖房装置は、住宅等におけるレイアウトの変更に伴い、幅木暖房装置を設置する位置および長手方向の長さを容易に変更することが可能であるため、暖房設計の自由度を高めることができる。
【００５９】
以上、現時点において、もっとも、実践的であり、かつ、好ましいと思われる実施形態に関連して本発明を説明したが、本発明は、本願明細書中に開示された実施形態に限定されるものではなく、特許請求の範囲および明細書全体から読み取れる発明の要旨或いは思想に反しない範囲で適宜変更可能であり、そのような変更を伴う、幅木暖房装置もまた本発明の技術的範囲に包含されるものとして理解されなければならない。
【符号の説明】
【００６０】
１      ベース部材
１ｅ  被係合部
２      温水用配管
２ａ  往き管
２ｂ  戻り管
３      ホルダ部材
３ａ  係合部
４、１４      カバー部材
４ｃ、１４ｃ  上端部
４ｆ、１４ｆ  把持部
４ｄ、１４ｄ  下端部
１４ｎ  接触片
５      Ｌ字部材
６      固定部材
７      バンド
８      末端部材
１０、２０、３０  幅木暖房装置
１０ａ〜ｄ  幅木暖房装置直線部
１１    内壁材
１２    床（材）
１３    ベースホルダ部材
１５    幅木
１６    床下地材
１７    間柱
【図１】
2017026271.tif 000003
【図６】
2017026271.tif 000004
【図７】
2017026271.tif 000005
【図８】
2017026271.tif 000006
【図２】
2017026271.tif 000007
【図３】
2017026271.tif 000008
【図４】
2017026271.tif 000009
【図５】
2017026271.tif 000010
【図９】
2017026271.tif 000011
【図１０】
2017026271.tif 000012
【図１１】
2017026271.tif 000013